(57)【特許請求の範囲】
【請求項１】
昇降動して、下降した位置で受け部材に係入するロック棒を、扉類に取り付ける錠本体に具備した上げ落とし錠において、扉類に固定する基板と、ロック棒を保持して基板に対して摺動するブロックとの両接合面に咬合部を形成し、
ブロックを基板に仮固定するロック機構を錠本体に具備しており、
前記ロック機構には三角形状のレバーが設けてあり、前記レバーは軸周りに回動可能となっており、前記レバーを回動させて、レバーの底辺の一角が基板を押圧すると前記ブロックと基板とがロックされ、レバーの底辺が基板に対向すると前記ブロックと基板とのロックが解除されるようにしたことを特徴とする上げ落とし錠。
【請求項２】
請求項１に記載の咬合部を鋸歯形状としたことを特徴とする上げ落とし錠。
【発明の詳細な説明】
【０００１】
【産業上の利用分野】
本発明は、特にガレージなどの門扉として使用される扉類を、昇降動するロック棒によって施錠する上げ落とし錠に関し、詳しくは、外部からロック棒を上昇させて解錠されないようにした上げ落とし錠に関するものである。
【０００２】
【従来の技術】
ガレージなどの門扉として使用される扉類は、上げ落とし錠によって施錠される。上げ落とし錠は扉類の内側に取り付けられ、昇降動するロック棒を備えた錠本体と、下降したロック棒を係入する受け部材とから構成される。受け部材は閉扉した位置の地面などに埋設され、ロック棒が下降して受け部材内に係入すると施錠され、ロック棒が上昇して受け部材から抜脱すると解錠される。
【０００３】
【発明が解決しようとする課題】
ガレージなどで使用される扉類は、地面上の小石などと擦れることがないようにするため、一般的に扉類の底面と地面との間に手が入る程度の間隔が開けられている。しかし、この扉類の底面と地面との間に間隔が開けられていると、この間隔から、施錠するために下降しているロック棒が手又は工具などによって把持されてしまう。すると、扉類の外部からロック棒が上昇させることができ、ロック棒が受け部材から抜脱され、解錠されてしまうといった不具合があった。
またロック棒を、外部から上昇させることができない様に、ロック棒の出しろを固定する構成も考えられるが、受け部材の深さや扉類と地面との間隔は、個々の扉類によってまちまちであり、ロック棒が受け部材の底に突き当たったり、ロック棒の挿入深さが不十分であるといった不具合がある。
【０００４】
そこで、本発明はロック棒を外部から抜脱できないようにした上げ落とし錠を提供することを目的とする。また併せて本発明は、ロック棒の出しろを任意の長さに設定して固定することができる上げ落とし錠を提供することを目的とする。
【０００５】
【課題を解決するための手段】
上記の課題を解決するための第１の手段は、昇降動して、下降した位置で受け部材に係入するロック棒を、扉類に取り付ける錠本体に具備した上げ落とし錠において、扉類に固定する基板と、ロック棒を保持して基板に対して摺動するブロックとの両接合面に咬合部を形成し、ブロックを基板に仮固定するロック機構を錠本体に具備しており、前記ロック機構には三角形状のレバーが設けてあり、前記レバーは軸周りに回動可能となっており、前記レバーを回動させて、レバーの底辺の一角が基板を押圧すると前記ブロックと基板とがロックされ、レバーの底辺が基板に対向すると前記ブロックと基板とのロックが解除されるようにしたことを特徴とする上げ落とし錠である。
【０００６】
上記の第１の手段によれば、ロック機構によってブロックを仮固定することにより、下降して受け部材内に係入しているロック棒が受け部材内から抜脱できないようにすることができる。レバーを回動すると言う操作によって、ブロックと基板との噛み合いを係脱させることができる。仮固定されたブロックと、扉類に固定された基板とは、咬合部によって噛合しているため、ロック棒を上昇させて、受け部材内から抜脱することができなくなる。尚、上記した扉類とは、ウイング形式の扉の他、引戸形式の扉も含む概念である。
【０００７】
上記の課題を解決するための第２の手段は、上記の第１の手段に記載の咬合部を鋸歯形状としたことを特徴とする上げ落とし錠である。
【０００８】
上記の第２の手段によれば、咬合部を鋸歯形状としたことにより、錠本体を扉類に取り付ける位置の高さ方向や、ロック棒が係入する受け部材の深さがどのようなものであっても、ブロックと基板と両咬合部を噛合させることができる。
【０００９】
【発明の実施の形態】
本発明の実施の形態を図１から図４を参照して説明する。図１は、本発明に係る上げ落とし錠を含む表面側の一部断面斜視図である。図２は、本発明に係る上げ落とし錠の裏面側の斜視図である。図３は、施錠前の本発明に係る上げ落とし錠の断面図である。図４は、施錠後の本発明に係る上げ落とし錠の断面図である。
【００１０】
本発明に係る上げ落とし錠は、扉類Ｄに取り付ける錠本体を、扉類Ｄに固定する基板１０と、昇降動して施錠位置に取り付けた受け部材１に係入するロック棒２０と、ロック棒２０を保持して基板１０に対して摺動するブロック３０と、ブロックを仮固定するロック機構４０から構成する。
【００１１】
基板１０は平面形状がＣ字形の枠状の扉類Ｄに取り付け、扉類Ｄの開口部分に基板１０を内側から固着する。すなわち、扉類Ｄの裏面と基板１０の表面とが接合するようにする。基板１０は底辺で扉類Ｄの内側へ折曲した側面形状がＬ字形とし、底辺の折曲部１１にはロック棒２０が貫通する貫通穴を穿設する。さらに、扉類Ｄの開口部で露出している基板１０の中心軸には、貫通溝１２を形成する。扉類Ｄの内側に露出している基板１０の裏面側であって、前記貫通溝１２の両側には図２に示すように鋸歯形状の咬合部１３を形成する。基板１０の表面側には、貫通溝１２の幅よりも拾いガイド穴１４を形成し、そのガイド穴１４内にロック機構４０のレバー４１を収納する。
【００１２】
ロック機構４０は基板１０を挟んでブロック３０と連結し、ロック機構４０をロックすることによってブロック３０が基板１０と圧着し、ロック機構４０のロックを解除することにより、ブロック３０が基板から離隔するようにする。ブロック３０が基板１０と接離するようにするため、ブロック３０には貫通溝１２からガイド穴１４内に突出する突片３２を突設し、ロック機構４０はこの突片３２をレバー４１が挟むようにする。レバー４１はほぼ三角形状の底辺を基端部４３とし、基端部４３が二股に分かれてブロック３０の突片３２を挟む。この基端部４３と突片３２とは軸４４によって連結し、レバー４１の遊端部４５が揺動できるようにする。図３の様にレバー４１の底面を構成する角の内、下側に位置する角４６と軸４４との距離は、軸４４とレバー４１の底面との距離よりも長い。
【００１３】
レバー４１の遊端部４５が図３に示すように起立すると、レバー４１の基端部４３が図３に示すように基板１０の裏面と離隔する。その一方、レバー４１の遊端部４５が図４に示すように傾倒すると、前述の様に、角４６と軸４４との距離は、軸４４とレバー４１の底面との距離よりも長いので、角４６は、基板１０の表面と当接し、軸４４は基板１０から離れる方向に移動してブロック３０を基板１０の裏面に向かって引きつける。そのためブロック３０が基板１０の裏面を押圧する状態となる。またレバー４５の操作部４８は、角４６と軸４４との距離に比べて十分に長いので、角４６が支点、操作部４８が力点、軸４４が作用点として作用し、レバー４１がてことして機能し、強い力でブロック３０は基板１０の裏面に押圧され、ブロック３０が基板１０と圧着する。
レバー４１を傾倒した状態では、軸４４と角４６を結ぶ直線は、水平を僅かに越えて軸４４が少し下向きに傾斜する。すなわち、レバー４１は、最も緊張した状態（軸４４と角４６を結ぶ直線が水平となる状態）を越えて傾倒されるので、当該位置で安定する。
【００１４】
本実施形態では、圧着したブロック３０が基板１０上を摺動しないようにするため、ブロック３０が基板１０と接合する面にも、基板１０の咬合部１３と噛合する鋸歯形状の咬合部３１を形成している。
【００１５】
ブロック３０が保持するロック棒２０は、先端側２１の外径が基端側２２の外径よりも大きくなるような段差を有するものとする。この段差が基板１０の折曲部１１の下面に当接することにより、ロック棒２０が完全に引き抜かれることを防止することができる。
【００１６】
本発明に係る上げ落とし錠は以上のように構成し、次に錠本体を扉類Ｄに取り付け、施錠する位置の地面に受け部材１を埋め込んだときの使用方法について、図３及び図４を参照して説明する。
【００１７】
ロック棒２０が上昇した位置で開扉していた扉類Ｄを閉扉すると、ロック棒２０と受け部材１とが対向する。このとき、ロック棒２０を保持しているブロック３０は、ロック機構４０によって基板１０と噛合し、上昇した位置に仮固定されている。施錠するために、ロック棒２０を下降するには図４に示すように、ロック機構４０のレバー４１を起立させてブロック３０を基板１０から離隔する。するとブロック３０の咬合部３１と基板１０の、咬合部３１との嵌合が解け、ブロック３０の突片３２が貫通溝１２にガイドされ、ロック棒２０は自由に昇降動することができる。そしてロック棒２０を下降してロック棒２０の先端部を受け部材１内に係入する。さらに図４に示すように、ロック機構４０のレバー４１を傾倒し、ブロック３０の咬合部３１と基板１０の咬合部１３とを噛合させ、ブロック３０を基板１０に仮固定することにより施錠する。本実施形態では、任意の位置でロック機構４０を操作してブロック３０の咬合部３１と基板１０の咬合部１３とを噛合させることができるので、受け穴の深さ等に併せて、ロック棒２０の出しろを任意の長さに設定して固定することができる。
【００１８】
扉類Ｄの下面に比較的大きな空間があって、手や工具などによって、ロック棒２０を受け部材１から抜脱させるために上昇させようとしても、ロック棒２０を保持しているブロック３０と基板１０とが噛合して、仮固定されているため、ロック棒２０は上昇することができない。したがって、扉類Ｄの下面に比較的大きな空間があって、ロック棒２０を外部から把持できても解錠することができない。
【００１９】
扉類Ｄを開扉するために解錠するときは、ロック機構４０のレバー４１を起立させ、ブロック３０と基板１０との仮固定の状態を解き、ブロック３０を上昇させることにより、ロック棒２０の先端部を受け部材１から抜脱する。
【００２０】
なお、本発明は上記の実施の形態に限定することなく、本発明の要旨内において設計変更することができる。たとえば、咬合部は鋸歯形状に限定するものではなく、多数の小さな疣（いぼ）状の突起と、その突起と係合する多数の小さな窪みとから構成することもできる。また、ロック機構も、一般的なものを使用することも可能である。さらに上記の上げ落とし錠は、平面形状がＣ字形の枠内に収納するタイプであるが、ロック棒が露出するタイプなどにも適用することができる。
【００２１】
【発明の効果】
本発明に係る上げ落とし錠によれば、ロック棒を保持するブロックとブロックが接合する基板とが、咬合部によって噛合するため、施錠した際にロック棒が上昇することがないようにすることができる。したがって、特にガレージなどのように扉類の下面に空間が開けられていても、その空間部から手や工具などによって、ロック棒を把持して上昇させることができなくなる。すなわち、施錠された状態を確保できるため、セキュリティが向上する。また本発明によると、受け穴の深さ等に併せて、ロック棒に出しろを任意に設定し、且つ位置でロック棒を固定することができる。
【００２２】
また請求項２に記載の上げ落とし錠によれば、咬合部を鋸歯形状としたことにより、ロック棒を任意の位置に仮固定することができる。したがって、錠本体の取付位置や受け部材の深さなどの制約を受けることなく、本発明の上記の効果を発揮することができる。
【図面の簡単な説明】
【図１】本発明に係る上げ落とし錠を含む表面側の一部断面斜視図である。
【図２】本発明に係る上げ落とし錠の裏面側の斜視図である。
【図３】施錠前の本発明に係る上げ落とし錠の断面図である。
【図４】施錠後の本発明に係る上げ落とし錠の断面図である。
【符号の説明】
１  受け部材
１０  基板
１３  咬合部
２０  ロック棒
３０  ブロック
３１  咬合部
４０  ロック機構
【図１】
0003623576.tif 000002
【図２】
0003623576.tif 000003
【図３】
0003623576.tif 000004
【図４】
0003623576.tif 000005